(57)【要約】      （修正有）【課題】洗浄ノズルを収納する収納部の表面が撥水性を有しているので、洗浄ノズルから落ちた洗浄水が、収納部に留まり難くなり、収納部にカビが発生し難くなる便器装置を提供する。【解決手段】底面部５１および壁部５３の洗浄ノズル側の面は、撥水性を有する。底面５２および壁面５４は微細な凹凸を形成する撥水構造が施される。またはコーティング撥水層を形成する。【選択図】図４
2017014701.tif 000002
【特許請求の範囲】
【請求項１】
局部を洗浄する洗浄水を噴出するように構成された洗浄ノズルと、前記洗浄ノズルを進退自在に収納する収納部と、を備え、
前記収納部の前記洗浄ノズル側の面は、撥水性を有することを特徴とする便器装置。
【請求項２】
前記洗浄ノズルの下方における前記収納部の底面部が、撥水性を有することを特徴とする請求項１に記載の便器装置。
【請求項３】
前記底面部の外周部には、上方に突出し前記洗浄ノズルの進出方向に開口する壁部が設けられることを特徴とする請求項２に記載の便器装置。
【請求項４】
前記底面部と前記壁部との境界部分の断面の形状を円弧状にすることを特徴とする請求項３に記載の便器装置。
【請求項５】
前記収納部の前記洗浄ノズル側の面には、微細な凹凸が形成されることを特徴とする請求項１乃至請求項４のいずれか一項に記載の便器装置。
【請求項６】
前記収納部の前記洗浄ノズル側の面には、撥水剤でのコーティングにより撥水層が形成されることを特徴とする請求項１乃至請求項４のいずれか一項に記載の便器装置。
【発明の詳細な説明】
【技術分野】
【０００１】
本発明は、便器装置に関する。より詳細には、洗浄ノズルを備えた便器装置に関する。
【背景技術】
【０００２】
従来、局部を洗浄するための洗浄ノズルと、洗浄ノズルを進退自在に収納する収納部と、を備える便器装置が知られている（例えば特許文献１参照）。
【先行技術文献】
【特許文献】
【０００３】
【特許文献１】特開２００４−９２０３１号公報
【発明の概要】
【発明が解決しようとする課題】
【０００４】
特許文献１に記載されている便器装置では、洗浄ノズルが収納部に収納されているとき、洗浄ノズルから洗浄水が収納部に垂れ落ちることがある。このとき、収納部の洗浄ノズル側の面に付着した洗浄水により、収納部にカビが発生する虞があった。
【０００５】
本発明は上記従来の問題点に鑑みて発明したものであって、その目的とするところは、収納部の洗浄ノズル側の面にカビが発生し難い、便器装置を提供することを課題とするものである。
【課題を解決するための手段】
【０００６】
上記課題を解決するために、本発明は、以下のような構成とする。
【０００７】
便器装置は、局部を洗浄する洗浄水を噴出するように構成された洗浄ノズルと、前記洗浄ノズルを進退自在に収納する収納部と、を備え、前記収納部の前記洗浄ノズル側の面は、撥水性を有することを特徴とする。
【発明の効果】
【０００８】
本発明の便器装置によれば、洗浄ノズルを収納する収納部の表面が撥水性を有しているので、洗浄ノズルから落ちた洗浄水が、収納部に留まり難くなり、収納部にカビが発生し難くなる。
【図面の簡単な説明】
【０００９】
【図１】図１は本発明の実施形態における便器装置の斜視図である。
【図２】図２Ａは本発明の実施形態における便器装置の上面構成部材を裏側から視た斜視図であり、図２Ｂは本発明の実施形態における便器装置の設置台にノズルユニットを設置した斜視図である。
【図３】図３は洗浄ノズルの先端部分の部分断面図である。
【図４】図４は図２Ｂにおいてノズルユニットを外し収納部を露出させた概略図である。
【図５】図５Ａは表面に撥水構造を施した収納部の断面図であり、図５Ｂは撥水加工を施した収納部の断面図であり、図５Ｃは撥水構造および撥水加工を施した収納部の断面図である。
【図６】図６は収納部における底面部および壁部の境界部分の断面図である。
【発明を実施するための形態】
【００１０】
以下、本発明を添付図面に示す実施形態に基いて説明する。
【００１１】
便器装置１は、図１に示すように、便器の形状をなす便器本体１０と、便器本体１０の骨組みとなるフレーム１５と、便器本体１０に取付けられる便座１２および便蓋１３と、を備える。
【００１２】
以下の説明では、前方Ｄ１とは、図１に示すように、便座１２に着座した使用者が向く方向をいい、その反対方向を後方Ｄ２という。また、右方Ｄ３および左方Ｄ４は、使用者が前方Ｄ１を向いたときを基準とする。
【００１３】
便器本体１０は、図１に示すように、便器本体１０の外周面を構成する外周面部１０１と、便器本体１０の上面部を構成する上面構成部材１０２と、を有する。
【００１４】
外周面部１０１は、スカート部３１、サイドカバー３２およびリアカバー３４を有する。スカート部３１は、外周面部１０１の前側半部における周面を形成する。サイドカバー３２は、外周面部１０１の後側半部における左右一対の側面を形成する。リアカバー３４は、外周面部１０１の後面を形成する。
【００１５】
上面構成部材１０２は、前パーツ１１と、前パーツ１１に連結される後パーツ１４と、を有する。
【００１６】
後パーツ１４は、図１に示すように、上板部１４１、後板部１４２および左右一対の側板部１４３を有する。上板部１４１は、後パーツ１４の上面部を構成する。後板部１４２は、上板部１４１の後端部から下方に突出する。側板部１４３は、上板部１４１の左側端部および右側端部から下方に突出する。後パーツ１４は、前方および下方に開口している。
【００１７】
前パーツ１１は、汚物を受けるボウル１１０と、ボウル１１０の後端部から上方に突出する起立部１１２と、を有する。ここで、ボウル１１０は、スカート部３１内側に設けられる。
【００１８】
ボウル１１０は、平面視楕円形状や円形状等、洗浄水が螺旋状に流れ易い形状に形成されるのが好ましいが、形状は限定されない。ここで、ボウル１１０の上縁部には、外方に突出するリム１１１が形成される。また、ボウル１１０の後側の端部には、前方に開口する出入口１１０ａが形成される。ボウル１１０は、合成樹脂で形成されているが、陶器で形成されてもよい。
【００１９】
起立部１１２は、前板部１１２ａおよび一対の側板部１１２ｂを有する。前板部１１２ａは、起立部１１２の前面部を構成する。側板部は、前板部１１２ａの左側端部および右側端部から後方に突出する。起立部１１２は、前方、後方および下方に開口している。ここで、上面構成部材１０２では、後パーツ１４と起立部１１２とにより、収容スペースが形成される。
【００２０】
上面構成部材１０２の収容スペースには、各種弁、制御部等が収容される。制御部は、マイクロコンピュータを備え、ＲＯＭ（Ｒｅａｄ  Ｏｎｌｙ  Ｍｅｍｏｒｙ）等の記憶部に記憶された制御プログラムを実行する。制御部は、電気的に接続される、弁や後述するノズルユニット２等を制御する。
【００２１】
起立部１１２の前板部１１２ａには、図２Ａに示すように、設置台４が連結される。また、設置台４には、図２Ｂに示すように、ノズルユニット２が設置される。ノズルユニット２は、設置台４の左右方向の中央部分に設置される。ここで、設置台４には、ノズルユニット２の前端部の位置が後端部の位置よりも低くなるように傾けて設置される。このように、ノズルユニット２は、後パーツ１４と起立部１１２とで形成される収容スペースに収容される。
【００２２】
ノズルユニット２は、図２Ｂ，図３に示すように、給水源から供給された洗浄水を噴出させる洗浄ノズル２１と、洗浄ノズル２１の上方を覆うカバー体２２と、を有する。
【００２３】
また、ノズルユニット２は、洗浄ノズル２１を進退させる駆動部、洗浄ノズル２１から噴出する洗浄水を温めるヒータ、洗浄水の量を調節する弁等を有する。そして、駆動部、ヒータ、弁等は制御部と電気的に接続され、制御部の出力信号により制御される。
【００２４】
本実施形態のノズルユニット２は、図１に示すように、洗浄ノズル２１を２本有し、それぞれお尻用ノズル２１１とビデ用ノズル２１２となっている。なお、洗浄ノズル２１を１本にし、お尻用ノズル２１１とビデ用ノズル２１２の機能を兼ねてもよい。
【００２５】
洗浄ノズル２１は、その内部に洗浄水が流れる流水路を有する。洗浄ノズル２１の先端部における上側部分には、流水路と連通する複数の孔が形成される。洗浄ノズル２１では、流水路を流れてきた洗浄水が複数の孔に至り、複数の孔から洗浄水が噴出する。
【００２６】
カバー体２２は、洗浄ノズル２１の先端部を覆う第１カバー部２２１と、洗浄ノズル２１のその他の部分を覆う第２カバー部２２２と、を有する。カバー体２２は、前端から後端に向かう程上方に位置するように傾斜している。
【００２７】
第１カバー部２２１は、図２Ｂ，図３に示すように、前面部、前面部の上端部から後方に連続する上面部、前面部の左側端部および右側端部から後方に連続する一対の側面部を有する。第１カバー部２２１は、前方、後方および下方に開口した形状となっている。
【００２８】
第２カバー部２２２は、断面形状は半円状に形成される。第２カバー部２２２は、前方、後方および下方に開口している。第２カバー部２２２は、第１カバー部２２１の後端から後斜め上方に向けて連続する。
【００２９】
本実施形態のノズルユニット２には、お尻用ノズル２１１とビデ用ノズル２１２があるため、それぞれの洗浄ノズル２１に対して第２カバー部２２２が設けられる。
【００３０】
ここで、便器装置１では、洗浄時、洗浄ノズル２１は、出入口１１０ａを通って前方の洗浄位置に進出する。そして、非使用時、洗浄ノズル２１は、カバー体２２の下方の収納位置に退く。
【００３１】
設置台４には、図２Ｂに示すように、ノズルユニット２が取付けられる。ここで、設置台４において、図３，図４に示すように、ノズルユニット２の洗浄ノズル２１の下方に位置する部分が底面部５１となる。また、設置台４には、図４に示すように、底面部５１の外周から上方に突出し前側に開口する壁部５３が形成される。
【００３２】
本実施形態の洗浄ノズル２１は、上方をカバー体２２に覆われ、下方を底面部５１および壁部５３に覆われる。すなわち、カバー体２２と底面部５１と壁部５３とは、洗浄ノズル２１を収納する収納部５となる。
【００３３】
底面部５１において、洗浄ノズル２１側の面を底面５２とする。底面５２の先端部は、図４に示すように、後端から先端に向かう程下側に位置するように傾斜している。そして、底面５２の後端部から第１底面５２１の後端部までの部分は、後端から前端に向かう程下側に位置するように傾斜する。ここで、底面５２の先端部を第１底面５２１とし、底面５２の先端部から後側を第２底面５２２とする。
【００３４】
このように、底面部５１は、ノズルユニット２から落ちた洗浄水を受け、洗浄水を前側へと流し、ボウル１１０へと流すように構成される。
【００３５】
壁部５３は、底面部５１を囲むように形成される。すなわち、壁部５３は、カバー体２２の平面視での外形に沿って設けられる。本実施形態の壁部５３は、図４に示すように、平面視Ｕ字状となっているが、その形状は限定されない。
【００３６】
壁部５３は、ノズルユニット２から落ちた洗浄水が他の収容物に伝って行かないように堰き止める。
【００３７】
壁部５３において、洗浄ノズル２１側の面を壁面５４とする。壁面５４は、本実施形態では、図４に示すように、左右方向の一方側の面である第１側面５４１、左右方向の他方側の面である第２側面５４２および後側の面である第３側面５４３を有する。
【００３８】
第１側面５４１における、後端部から第１底面５２１と第２底面５２２との境界までの部分は、底面５２から上方に延びている。第１側面５４１における第１底面５２１と第２底面５２２との境界よりも前側の部分は、第１側面５４１の第１底面５２１と第２底面５２２との境界から前方に延びている。そして、第１側面５４１は、上下方向を短手方向とし、前後方向を長手方向とする側面視略矩形状の面となっている。
【００３９】
第２側面５４２は、上記した第１側面５４１と同様の形状をしているため詳細な説明は省略する。
【００４０】
第３側面５４３は、底面５２から上方に向けて設けられる。そして、第３側面５４３は平面視円弧状であり且つ正面視で矩形状の面となっている。
【００４１】
ここで、第１側面５４１と第３側面５４３とは連続し、さらに第２側面５４２と第３側面５４３とは連続する。
【００４２】
なお、本実施形態の壁面５４は上記した形状となっているが、その形状は限定されない。
【００４３】
また、本実施形態の収納部５は、後端部から前端に向かって流れてきた洗浄水を、収納部５の左右方向の中央側に集めるための集水部５５を有する。
【００４４】
集水部５５は、底面部５１から上方に突出して設けられる第１集水壁５５１を有する。第１集水壁５５１は、図４に示すように、平面視において、底面部５１の左右方向の中央側端部に向かう程前側に位置するように傾斜している。第１集水壁５５１の後端部は、第１側面５４１の前後方向の中間部に連続する。
【００４５】
また、集水部５５は、底面部５１から上方に突出して設けられる第２集水壁５５２を有する。第２集水壁５５２は、平面視において、底面部５１の左右方向の中央側端部に行く程前側に位置するように傾斜している。第２集水壁５５２の後端部は、第２側面５４２の前後方向の中間部に連続する。
【００４６】
ここで、第１集水壁５５１の先端と第２集水壁５５２の先端との間には、洗浄水が通る隙間が形成される。
【００４７】
なお、集水部５５は任意の構成であり、本実施形態では収納部５に設けられているが、設けられなくともよい。
【００４８】
本実施形態の底面部５１および壁部５３の洗浄ノズル２１側の面は、撥水性を有する。すなわち、本実施形態の底面５２および壁面５４には、図５Ａに示すように、微細な凹凸を形成する撥水構造６０が施される。
【００４９】
ここで、底面５２に洗浄水が落ちると、底面５２にはたらく表面張力、洗浄水にはたらく表面張力、洗浄水と底面５２にはたらく界面張力、が発生する。ここで、底面５２にはたらく表面張力が小さくなることで、底面５２は撥水性を有するようになる。
【００５０】
また、壁面５４に付着した洗浄水に対しても同様なことが言え、壁面５４にはたらく表面張力が小さくなることで、壁面５４は撥水性を有するようになる。
【００５１】
撥水構造６０は、図５Ａに示すように、底面５２および壁面５４に凹凸加工により微細な凹凸を形成することで構成される。これにより、底面５２および壁面５４にはたらく表面張力が、底面５２および壁面５４が平面のときより小さくなり、底面５２および壁面５４が撥水性を有するようになる。
【００５２】
微細な凹凸において、凸同士の間隔は約１０μｍ以下、凸の高さは約１０μｍ以下となるが、その数値は限定されるものではない。そして、凹凸の断面形状は、三角形状、波状、矩形状といった形状になるが、その形状は限定されるものではない。
【００５３】
このような撥水構造６０は、撥水性が低下し難いので、底面５２および壁面５４の撥水性を長期間持続させることができる。
【００５４】
収納部５の洗浄ノズル２１側の面が撥水性を付与する変形例１として、図５Ｂに示すように、撥水剤により底面５２および壁面５４をコーティングし撥水層６１を形成する撥水加工がある。
【００５５】
底面５２および壁面５４に撥水層６１が形成されることで、底面５２および壁面５４にはたらく表面張力が小さくなり、底面５２および壁面５４が撥水性を有するようになる。撥水加工で用いられる撥水剤は、シリコン樹脂、フッ素樹脂等であるが特に限定されない。
【００５６】
このような撥水加工は、収納部５に撥水剤を吹き付けたり塗布したりするだけで撥水層６１が形成されるので、収納部５に容易に撥水性を付与することができる。ここで、撥水加工は便器装置１の製造工程において行われてもよいし、便器装置１を設置する施工現場で行われてもよい。
【００５７】
また、収納部５の洗浄ノズル２１側の面が撥水性を付与する変形例２として、図５Ｃに示すように、底面５２および壁面５４に撥水構造６０および撥水加工の両方を施す例が考えられる。
【００５８】
上記した撥水構造６０および撥水加工を施すことにより、底面５２および壁面５４に水が落ちたとき、底面５２および壁面５４と水との接触角度が約９０°以上１８０°以下となる。なお、底面５２および壁面５４と水との接触角度は上記した範囲に限定されない。
【００５９】
底面５２および壁面５４だけではなく、収納部５を構成するカバー体２２の洗浄ノズル２１側の面にも、上記した撥水構造６０または撥水加工のいずれか一方または両方を施してもよい。
【００６０】
また、底面５２と壁面５４との境界部分５６の形状は、図６に示すように、円弧状にすることが好ましい。すなわち、底面５２と壁面５４との境界部分５６に丸みを持たせる。境界部分５６に丸みを持たせることにより、境界部分５６に伝ってきた洗浄水が、境界部分５６に留まり難くなる。これにより、底面５２と壁面５４との境界部分５６が角形状の場合よりも、丸みを持っている場合の方が洗浄水が付着し難くなる。なお、底面５２と壁面５４との境界部分５６における曲率半径の値は、大きい方が好ましい。
【００６１】
なお、集水部５５と底面部５１との入隅部の形状も、円弧状にしてもよい。これにより、集水部５５に流れてきた洗浄水が、集水部５５に留まり難くなる。
【００６２】
上記した構成の便器装置１では、設置台４における収納部５の表面が撥水性を有しているため、洗浄ノズル２１から落ちてきた洗浄水が収納部５に留まり難くなる。ここで、洗浄ノズル２１から落ちてきた洗浄水は、局部を洗浄した際に跳ね返ってきた水であることもある。このような洗浄水が、収納部５に留まってしまうと、収納部５の汚れやカビの発生原因となってしまう。従って、収納部５が撥水性を有していると、収納部５の表面に洗浄水が残り難いので、収納部５にカビが発生し難くなる。
【００６３】
また、収納部５にはノズルユニット２があるため、収納部５はユーザーによる掃除がし難く、収納部５に発生したカビや汚れを除去することが困難である。しかし、本実施形態の便器装置１では、収納部５が撥水性を有しており、収納部５に洗浄水が留まり難いため、収納部５をユーザーが掃除する必要性を減少させることができる。
【００６４】
本実施形態の便器装置１は、以下に示す構成を備える。
【００６５】
便器装置１は、局部を洗浄する洗浄水を噴出するように構成された洗浄ノズル２１と、洗浄ノズル２１を進退自在に収納する収納部５と、を備える。収納部５の洗浄ノズル２１側の面が、撥水性を有することを特徴とする。
【００６６】
これにより、ノズルユニット２から落ちてきた洗浄水が収納部５に留まり難くなるので、収納部５にカビが発生し難くなる。
【００６７】
また、洗浄ノズル２１の下方における収納部５の底面部５１が、撥水性を有することが好ましい。
【００６８】
これにより、洗浄ノズル２１から落ちてきた洗浄水が収納部５に留まり難くなる。
【００６９】
底面部５１の外周部には、上方に突出し洗浄ノズル２１の進出方向に開口する壁部５３が設けられることが好ましい。
【００７０】
これにより、洗浄ノズル２１から落ちてきた洗浄水が他の機器に伝って行き難くなる。
【００７１】
また、底面部５１と壁部５３との境界部分５６の断面の形状を円弧状にすることが好ましい。
【００７２】
これにより、境界部分５６に伝ってきた洗浄水が、壁面５４から底面５２へと流れて行き易くなる。
【００７３】
また、収納部５の洗浄ノズル２１側の面には、微細な凹凸が形成されることが好ましい。
【００７４】
これにより、底面５２および壁面５４の撥水性を長期間持続させることができる。
【００７５】
また、収納部５の洗浄ノズル２１側の面には、撥水剤でのコーティングにより撥水層６１が形成されることが好ましい。
【００７６】
これにより、収納部５に撥水剤を吹き付けたり塗布したりすることで撥水層６１を形成でき、収納部５に容易に撥水性を付与することができる。
【符号の説明】
【００７７】
１    便器装置
１１０  ボウル
２    ノズルユニット
２１  洗浄ノズル
４    設置台
５    収納部
５１  底面部
５２  底面
５３  壁部
５４  壁面
６０  撥水構造
６１  撥水層
【図１】
2017014701.tif 000003
【図２】
2017014701.tif 000004
【図３】
2017014701.tif 000005
【図４】
2017014701.tif 000006
【図５】
2017014701.tif 000007
【図６】
2017014701.tif 000008